(57)【要約】【課題】アルミ電線の曲げ布線に好適な布線治具を有するワイヤハーネス製造治具を提供する。【解決手段】アルミ電線用布線治具２６は、アルミ電線２２を所望の方向に曲げて布線するための治具であって、胴太に形成され且つ略円弧状の電線曲げ面３０を有する胴太電線曲げガイド部３１を備えている。弾性板部３２は、布線時においてアルミ電線２２の上方への移動を規制することができ、また、ワイヤハーネスの取り出しの際には、ワイヤハーネスに押されて弾性変形することができるような弾力性を有している。【選択図】図２
2010010063.tif 000002
【特許請求の範囲】
【請求項１】
少なくともアルミ電線を含むワイヤハーネスを所望の経路に布線するための複数の布線治具を備えるワイヤハーネス製造治具において、
前記布線治具は、前記アルミ電線を所望の方向に曲げて布線するためのアルミ電線用布線治具を含み、
該アルミ電線用布線治具は、胴太に形成され且つ略円弧状の電線曲げ面を有する胴太電線曲げガイド部を備える
ことを特徴とするワイヤハーネス製造治具。
【請求項２】
請求項１に記載のワイヤハーネス製造治具において、
前記電線曲げ面は、円筒側面又は円柱側面、或いは、前記胴太電線曲げガイド部の軸に平行な複数の線材又は複数のリブ先端により形成される仮想的な円筒側面、のいずれかである
ことを特徴とするワイヤハーネス製造治具。
【請求項３】
請求項１又は請求項２に記載のワイヤハーネス製造治具において、
前記アルミ電線用布線治具は、前記アルミ電線の挿抜側となる前記胴太電線曲げガイド部の上端部に、該上端部よりも大径の弾性板部を有する
ことを特徴とするワイヤハーネス製造治具。
【請求項４】
請求項１又は請求項２に記載のワイヤハーネス製造治具において、
前記アルミ電線用布線治具は、前記アルミ電線の挿抜側とは反対側となる前記胴太電線曲げガイド部の下端部に、前記アルミ電線の下方への移動を規制する電線下方移動規制部を有する
ことを特徴とするワイヤハーネス製造治具。
【請求項５】
請求項１又は請求項２に記載のワイヤハーネス製造治具において、
前記アルミ電線用布線治具は、前記胴太電線曲げガイド部を左右に並べて一対の状態で有する
ことを特徴とするワイヤハーネス製造治具。
【請求項６】
請求項１ないし請求項５いずれか記載のワイヤハーネス製造治具において、
前記アルミ電線用布線治具は、前記胴太電線曲げガイド部の上方となる位置又は下方となる位置に、前記アルミ電線又は前記アルミ電線以外の前記ワイヤハーネスを構成する他の電線を略直線的に布線するための部分として、電線載置部と該電線載置部の両端から上方に伸びる一対のガイド部とを有するフォーク部を更に備える
ことを特徴とするワイヤハーネス製造治具。
【請求項７】
少なくともアルミ電線を含むワイヤハーネスを所望の経路で布線するための複数の布線治具を備え、前記布線治具は、前記アルミ電線を布線するためのアルミ電線用布線治具を含み、該アルミ電線用布線治具は、胴太に形成され且つ略円弧状の電線曲げ面を有する胴太電線曲げガイド部を備える、ワイヤハーネス製造治具を用い、前記アルミ電線を所望の方向に曲げて布線する場合には、前記アルミ電線を前記電線曲げ面に沿わせて曲げ布線を行う
ことを特徴とするワイヤハーネスの製造方法。
【発明の詳細な説明】
【技術分野】
【０００１】
本発明は少なくともアルミ電線を含むワイヤハーネスを所望の経路で布線するための複数の布線治具を備えるワイヤハーネス製造治具、及びそのワイヤハーネス製造治具を用いたワイヤハーネスの製造方法に関する。
【背景技術】
【０００２】
図６において、自動車等の車両に所望の経路で配索されるワイヤハーネス１は、電力線や信号線などの各種電線を多数束ねることにより製造されている。ワイヤハーネス１には、この幹線２から分岐線３が複数分岐されている。各分岐線３の端末には、コネクタ４が設けられている。このようなワイヤハーネス１は、図７に示す如くのワイヤハーネス製造治具５によって製造されている（例えば下記特許文献１参照）。
【０００３】
ワイヤハーネス製造治具５は、基板６と、この基板６の表面に固定される複数の布線治具７と、同じく基板６の表面に固定される複数のコネクタ保持部材８とを備えて構成されている。布線治具７は、ワイヤハーネス１の配索経路に合わせて配置されている。この布線治具７は、幹線２を基板６表面から一定の高さ位置で支持すると共に、配索経路に合わせて分岐線３を幹線２に対し様々な方向へ曲げて布線するための治具になっている。
【０００４】
図８において、布線治具７は、一端が基板６に固定されるシャフト部９と、このシャフト部９の他端に連成されるフォーク部１０とを有している。フォーク部１０は、底部分となる電線載置部１１と、この電線載置部１１の両端からそれぞれ真っ直ぐ上にのびる棒状のガイド部１２とを有している。フォーク部１０は、略音叉形状に形成されている。尚、図６の引用符号１３はテープ巻きを示している。
【０００５】
ところで、近年においては、車両の軽量化の要求に伴ってワイヤハーネスの軽量化も一層強く要望されることから、電線束の構成にアルミ電線を含んだワイヤハーネスが用いられるようになってきている（例えば下記特許文献２参照）。アルミ電線は、アルミニウム材からなる素線を撚り合わせた導体と、この導体を被覆する被覆材とを備えて構成されている。
【特許文献１】特開平６−３１８４１０号公報
【特許文献２】特開平８−１２４４２６号公報
【発明の開示】
【発明が解決しようとする課題】
【０００６】
アルミ電線は、一般的な銅電線に比べて屈曲性などの機械的強度が劣ることが知られている。従って、従来の布線治具７を用いて少なくともアルミ電線を含むワイヤハーネスを製造する場合には、十分な注意が必要である。例えば、一般的な銅電線からなる分岐線３は、図８に示す如く細い棒状のガイド部１２に引っ掛けてこのガイド部１２と接触する一点のみに荷重がかかるような曲げ布線を行っても問題ないが、アルミ電線を同様に曲げ布線すると、機械的強度面に支障を来してしまうことになる。従って、従来の布線治具７にあっては、アルミ電線を含むワイヤハーネスを製造する工程のうち、特にアルミ電線を曲げ布線する場合に適していないという問題点を有している。
【０００７】
本発明は、上記した事情に鑑みてなされたもので、アルミ電線の曲げ布線に好適な布線治具を有するワイヤハーネス製造治具を提供することを課題とする。また、アルミ電線を含むワイヤハーネスの製造に好適な製造方法をあわせて提供することを課題とする。
【課題を解決するための手段】
【０００８】
上記課題を解決するためになされた請求項１記載の本発明のワイヤハーネス製造治具は、少なくともアルミ電線を含むワイヤハーネスを所望の経路に布線するための複数の布線治具を備えるワイヤハーネス製造治具において、前記布線治具は、前記アルミ電線を所望の方向に曲げて布線するためのアルミ電線用布線治具を含み、該アルミ電線用布線治具は、胴太に形成され且つ略円弧状の電線曲げ面を有する胴太電線曲げガイド部を備えることを特徴としている。
【０００９】
このような特徴を有する本発明によれば、アルミ電線を曲げて布線をする必要がある場合、アルミ電線用布線治具を用いて曲げを行う。アルミ電線用布線治具は、胴太電線曲げガイド部を有することから、電線曲げ面に沿って布線を行うだけで、電線曲げ面に対して円弧状に接触する状態でアルミ電線を曲げることができる。従って、アルミ電線にかかる荷重が一点に集中することのない状態で曲げ布線を行うことができる。すなわち、アルミ電線の機械的強度の低下につながるようなことはない。
【００１０】
請求項２記載の本発明のワイヤハーネス製造治具は、請求項１に記載のワイヤハーネス製造治具において、前記電線曲げ面は、円筒側面又は円柱側面、或いは、前記胴太電線曲げガイド部の軸に平行な複数の線材又は複数のリブ先端により形成される仮想的な円筒側面、のいずれかであることを特徴としている。
【００１１】
このような特徴を有する本発明によれば、アルミ電線を曲げ布線する際に、アルミ電線へかかる荷重が一点に集中することを防止するために、円筒側面、円柱側面、仮想的な円筒側面のいずれかから電線曲げ面が形成される。
【００１２】
請求項３記載の本発明のワイヤハーネス製造治具は、請求項１又は請求項２に記載のワイヤハーネス製造治具において、前記アルミ電線用布線治具は、前記アルミ電線の挿抜側となる前記胴太電線曲げガイド部の上端部に、該上端部よりも大径の弾性板部を有することを特徴としている。
【００１３】
このような特徴を有する本発明によれば、ワイヤハーネスの取り出しの際に、大径の弾性板部はワイヤハーネスに押されて弾性変形する。非弾性部材と比べて引っ掛かりによる負荷が小さいことから、ワイヤハーネスの取り出しに係る作業性は良好となる。また、本発明によれば、大径の弾性板部によってアルミ電線の上方への移動が規制される。これにより、布線されたアルミ電線はこの位置が安定し、結果、製造後のワイヤハーネス線長も安定する。
【００１４】
請求項４記載の本発明のワイヤハーネス製造治具は、請求項１又は請求項２に記載のワイヤハーネス製造治具において、前記アルミ電線用布線治具は、前記アルミ電線の挿抜側とは反対側となる前記胴太電線曲げガイド部の下端部に、前記アルミ電線の下方への移動を規制する電線下方移動規制部を有することを特徴としている。
【００１５】
このような特徴を有する本発明によれば、電線下方移動規制部によってアルミ電線の下方への移動が規制される。これにより、布線されたアルミ電線はこの位置が安定し、結果、製造後のワイヤハーネス線長も安定する。
【００１６】
請求項５記載の本発明のワイヤハーネス製造治具は、請求項１又は請求項２に記載のワイヤハーネス製造治具において、前記アルミ電線用布線治具は、前記胴太電線曲げガイド部を左右に並べて一対の状態で有することを特徴としている。
【００１７】
このような特徴を有する本発明によれば、一対の胴太電線曲げガイド部の各電線曲げ面間にアルミ電線を通した後、このアルミ電線を左に曲げ布線する場合には、左側の胴太電線曲げガイド部を用いる。これに対し、アルミ電線を右に曲げ布線する場合には、右側の胴太電線曲げガイド部を用いる。本発明によれば、左右どちらの曲げ布線であってもアルミ電線用布線治具の配置を変えずに容易に対応することが可能になる。
【００１８】
請求項６記載の本発明のワイヤハーネス製造治具は、請求項１ないし請求項５いずれか記載のワイヤハーネス製造治具において、前記アルミ電線用布線治具は、前記胴太電線曲げガイド部の上方となる位置又は下方となる位置に、前記アルミ電線又は前記アルミ電線以外の前記ワイヤハーネスを構成する他の電線を略直線的に布線するための部分として、電線載置部と該電線載置部の両端から上方に伸びる一対のガイド部とを有するフォーク部を更に備えることを特徴としている。
【００１９】
このような特徴を有する本発明によれば、胴太電線曲げガイド部とは別に設けられるフォーク部を用いることにより、略直線的に布線する必要があるアルミ電線、又はアルミ電線以外の他の電線を布線することが可能になる。
【００２０】
請求項７記載の本発明のワイヤハーネスの製造方法は、少なくともアルミ電線を含むワイヤハーネスを所望の経路で布線するための複数の布線治具を備え、前記布線治具は、前記アルミ電線を布線するためのアルミ電線用布線治具を含み、該アルミ電線用布線治具は、胴太に形成され且つ略円弧状の電線曲げ面を有する胴太電線曲げガイド部を備える、ワイヤハーネス製造治具を用い、前記アルミ電線を所望の方向に曲げて布線する場合には、前記アルミ電線を前記電線曲げ面に沿わせて曲げ布線を行うことを特徴としている。
【００２１】
このような特徴を有する本発明によれば、胴太電線曲げガイド部の電線曲げ面に沿わせて布線するだけで、電線曲げ面に対して円弧状に接触する状態でアルミ電線を曲げて布線することができる。従って、アルミ電線にかかる荷重が一点に集中することのない状態で曲げ布線を行うことができる。本発明によれば、アルミ電線を曲げて布線してもアルミ電線の機械的強度の低下につながるようなことはない。すなわち、アルミ電線を含むワイヤハーネスを好適に製造することができる。
【発明の効果】
【００２２】
請求項１に記載された本発明によれば、アルミ電線の曲げ布線に好適な布線治具を有するワイヤハーネス製造治具を提供することができるという効果を奏する。本発明によれば、一般的な銅電線に比べて屈曲性などの機械的強度が劣るアルミ電線を曲げて布線する時にアルミ電線へかかる荷重が一点集中にならないという効果を奏する。
【００２３】
請求項２に記載された本発明によれば、電線曲げ面のより良い形態を提供することができるという効果を奏する。
【００２４】
請求項３に記載された本発明によれば、ワイヤハーネスの取り出しに係る作業性に配慮することができ、また、ワイヤハーネス線長を安定させることもできるという効果を奏する。
【００２５】
請求項４に記載された本発明によれば、ワイヤハーネス線長を安定させることができるという効果を奏する。
【００２６】
請求項５に記載された本発明によれば、一つのアルミ電線用布線治具で左右どちらの曲げ布線であっても容易に行うことができるという効果を奏する。
【００２７】
請求項６に記載された本発明によれば、アルミ電線に対する曲げ布線のみならず、略直線的な布線もすることができるという効果を奏する。
【００２８】
請求項７に記載された本発明によれば、アルミ電線を含むワイヤハーネスの製造に好適な製造方法をあわせて提供することができるという効果を奏する。本発明によれば、一般的な銅電線に比べて屈曲性などの機械的強度が劣るアルミ電線を曲げて布線する時にアルミ電線へかかる荷重が一点集中することのない状態で曲げ布線を行うことができるという効果を奏する。本発明によれば、アルミ電線を曲げて布線してもアルミ電線の機械的強度の低下につながるようなことはない。すなわち、アルミ電線を含むワイヤハーネスを好適に製造することができるという効果を奏する。
【発明を実施するための最良の形態】
【００２９】
以下、図面を参照しながら説明する。図１は本発明のワイヤハーネス製造治具の一実施の形態を示す模式的な主要構成図である。また、図２は図１のアルミ電線用布線治具の拡大斜視図である。
【００３０】
図１において、引用符号２１は本発明のワイヤハーネス製造治具を示している。ワイヤハーネス製造治具２１は、少なくともアルミ電線２２を含むワイヤハーネスの各種電線を布線して、ワイヤハーネスを所望の経路となるように製造するためのものであって、基板２３と、この基板２３の表面に固定される複数の一般布線治具２４と、同じく基板２３の表面に固定される複数のコネクタ保持部材２５と、同じく基板２３の表面に固定される複数のアルミ電線用布線治具２６とを備えて構成されている。
【００３１】
ワイヤハーネス製造治具２１は、一般的な銅電線に比べて屈曲性などの機械的強度が劣るアルミ電線２２を曲げて布線する時にアルミ電線２２へかかる荷重が一点集中することのないように構成されている。先ず、各構成部材について説明する。
【００３２】
アルミ電線２２は、アルミニウム又はアルミニウム合金からなる素線を複数撚り合わせて導体を形成し、そして、この導体の外側に絶縁性を有する被覆材を押出被覆することにより製造されている。アルミ電線２２は、予め所定の長さに検尺されており、この端末にはコネクタ２７が設けられている。尚、図中のアルミ電線２２は一本のみであるが、これは便宜上のことであるものとする。実際には複数本あって、これにより電線束を構成することができるようになっている。上記ワイヤハーネスは、アルミ電線２２の他に銅電線も含まれている（一例であるものとする。アルミ電線２２のみでワイヤハーネスを構成してもよいものとする）。
【００３３】
基板２３上には、複数の一般布線治具２４、複数のコネクタ保持部材２５、及び複数のアルミ電線用布線治具２６がワイヤハーネスの配索経路に合わせて配置されている。
【００３４】
基板２３、一般布線治具２４、コネクタ保持部材２５、及びコネクタ２７は、基本的に背景技術の欄で説明した、基板６、布線治具７、コネクタ保持部材８、及びコネクタ４と同じであるものとする（図６〜図８参照）。
【００３５】
図１及び図２において、アルミ電線用布線治具２６は、アルミ電線２２を所望の方向に曲げて布線する際に用いる布線治具であって、一端が基板２３に公知の方法で固定されるシャフト部２８と、このシャフト部２８の他端に設けられる布線治具本体２９とを備えて構成されている。シャフト部２８は、基板２３の表面から上方に真っ直ぐのびる金属製の棒部材であって、十分な強度を有している。
【００３６】
布線治具本体２９は、電線曲げ面３０を有する胴太電線曲げガイド部３１と、この胴太電線曲げガイド部３１の上端部に設けられる弾性板部３２と、胴太電線曲げガイド部３１の下端部に設けられる電線下方移動規制部３３とを有して構成されている。布線治具本体２９は、正面視略π形状となる形状に形成されている（形状は一例であるものとする）。
【００３７】
胴太電線曲げガイド部３１は、布線治具本体２９の胴体部分であって、従来の布線治具７のガイド部１２（図８参照）と比べて大きな径を有する円筒又は円柱形状に形成されている。電線曲げ面３０は、胴太電線曲げガイド部３１の側面であって、胴太電線曲げガイド部３１が上記のように円筒又は円柱形状であることから、電線曲げ面３０は、円筒側面又は円柱側面となるように形成されている。電線曲げ面３０は、従来の布線治具７と比べて、曲げ布線されるアルミ電線２２と接触することになる部分が大きくなるように形成されている。電線曲げ面３０は、摩擦抵抗の小さな面となるように形成されている。
【００３８】
尚、胴太電線曲げガイド部３１は、布線治具本体２９に向かう側（アルミ電線用布線治具２６に向かう側）のアルミ電線２２ａの軸Ｌ１と、布線治具本体２９から離れていく側（アルミ電線用布線治具２６から離れていく側）のアルミ電線２２ｂの軸Ｌ２とが交差する角度θが鋭角になるようにアルミ電線２２を曲げて布線する（曲げ部２２ｃを形成する）ことができるように形成されている。すなわち、電線曲げ面３０がアルミ電線２２の曲げにおいて許容される最小曲率半径以上となる曲率半径を有するように形成されている。胴太電線曲げガイド部３１は、アルミ電線２２の過度な曲げを防止できるようになっている。
【００３９】
胴太電線曲げガイド部３１は、硬質の材料（金属又は樹脂）によって形成されている（一例であるものとする。尚、上記最小曲率半径以上となる曲率半径を確保することができるのであれば、若干の弾力性があってもよいものとする（例えば硬質のゴム材等で胴太電線曲げガイド部３１を形成する）。
【００４０】
弾性板部３２は、アルミ電線２２の挿抜側となる胴太電線曲げガイド部３１の上端部に一体化するように設けられている。弾性板部３２は、平面視円形状であって、上記上端部の直径よりも大径となるように形成されている。弾性板部３２は、布線時においてアルミ電線２２の上方への移動を規制することができ、また、ワイヤハーネスの取り出しの際には、ワイヤハーネスに押されて弾性変形することができるような弾力性を有している。本形態においては、薄いゴム板を円形に打ち抜くことにより形成されている（接着剤によって上記上端部に固定されている）。尚、弾性板部３２を設けることについては任意であるものとする。
【００４１】
電線下方移動規制部３３は、胴太電線曲げガイド部３１の下端部に連成されている。電線下方移動規制部３３は、胴太電線曲げガイド部３１の直径が次第に大きくなるような略ラッパ形状に形成されている。電線下方移動規制部３３は、アルミ電線２２（曲げ部２２ｃ）の下方への移動を規制することができるように形成されている。
【００４２】
次に、上記構成及び構造に基づきながら、アルミ電線２２を布線する際の作業について説明する。ここでは、図１の左側から右側へとアルミ電線２２を布線する際の作業を説明する。
【００４３】
先ず、アルミ電線２２の一方の端末に設けたコネクタ２７をコネクタ保持部材２５に差し込んでこれを保持する。次に、アルミ電線２２をアルミ電線用布線治具２６における胴太電線曲げガイド部３１の左から右に通してアルミ電線２２を電線曲げ面３０に沿わせる。これにより、アルミ電線２２には電線曲げ面３０に対して円弧状に接触する曲げ部２２ｃが形成される。続いて、アルミ電線２２の略直線的に布線する部分を一般布線治具２４で支持する。最後に、アルミ電線２２の他方の端末に設けたコネクタ２７をコネクタ保持部材２５に差し込んで保持する。以上により、アルミ電線２２の布線に係る作業が完了する。
【００４４】
ここまでの作業を繰り返すとともに、テープ巻きを施したり所定位置にクリップ等を組み付けたりすると、ワイヤハーネスの製造が完了する。そして、この製造完了状態のままでワイヤハーネスを引き上げれば（持ち上げれば）、ワイヤハーネスはワイヤハーネス製造治具２１から取り外されて、自動車等の車両に配索することができるような状態になる。
【００４５】
ワイヤハーネス製造治具２１からの取り外しの際に、ワイヤハーネスはアルミ電線用布線治具２６における弾性板部３２に当たるが、この弾性板部３２は弾力性を有することから弾性変形し、結果、ワイヤハーネスに負荷の掛からない状態で取り外すことができる。取り外しに係る作業性は良好である。
【００４６】
以上、図１及び図２を参照しながら説明してきたように、本発明によれば、アルミ電線用布線治具２６には胴太電線曲げガイド部３１を有することから、アルミ電線２２を曲げて布線する時にかかる荷重を胴太電線曲げガイド部３１の電線曲げ面３０で受けるため、アルミ電線２２にかかる荷重が一点に集中することのない状態で曲げ布線を行うことができる。また、本発明によれば、アルミ電線用布線治具２６には胴太電線曲げガイド部３１を有することから、アルミ電線２２の過度な曲げを抑制した状態で布線をすることができる。従って、アルミ電線２２は、この導体に例えば断線が生じることはなく、断線による強度低下も起こることはない。
【００４７】
尚、アルミ電線用布線治具２６は、アルミ電線２２の曲げ布線に好適な布線治具であるが、銅電線にも適用可能であることは言うまでもない。銅電線にあっては、特に断線防止の必要がある細線が好適である。
【００４８】
続いて、図３を参照しながらアルミ電線用布線治具の第二実施例を説明する。図３はアルミ電線用布線治具の第二実施例を示す模式的な拡大斜視図である。
【００４９】
図３において、アルミ電線用布線治具４１は、電線曲げ面３０を有する胴太電線曲げガイド部３１を左右方向に並べて一対の状態で有している（図１及び図２で説明したアルミ電線用布線治具２６と同じ形状・機能を有する部分には同一の符号を付すものとする）。また、アルミ電線用布線治具４１は、一対の胴太電線曲げガイド部３１を所定の間隔で連結する連結部４２と、一端が基板２３に固定され他端が連結部４２の中央下部に連続するシャフト部２８とを有している。アルミ電線用布線治具４１は、この全体が略音叉形状に形成されている。
【００５０】
上記構造に基づきながら、アルミ電線２２を布線する際の作業について説明する。ここでは、図３の右側へアルミ電線２２を曲げて布線する際の作業を説明する（左側への曲げの説明は省略するものとする）。
【００５１】
先ず、アルミ電線２２の一方の端末に設けたコネクタ２７（図１参照）をコネクタ保持部材２５（図１参照）に差し込んでこれを保持する。次に、アルミ電線２２をアルミ電線用布線治具４１における一対の胴太電線曲げガイド部３１の間から右に通してアルミ電線２２を右側の胴太電線曲げガイド部３１の電線曲げ面３０に沿わせる。これにより、アルミ電線２２には電線曲げ面３０に対して円弧状に接触する曲げ部２２ｃが形成される。続いて、アルミ電線２２の略直線的に布線する部分を一般布線治具２４（図１参照）で支持する。最後に、アルミ電線２２の他方の端末に設けたコネクタ２７（図１参照）をコネクタ保持部材２５（図１参照）に差し込んで保持する。以上により、アルミ電線２２の布線に係る作業が完了する。
【００５２】
以上、図３を参照しながら説明してきたように、本発明によれば、アルミ電線用布線治具４１には胴太電線曲げガイド部３１を有することから、アルミ電線２２を曲げて布線する時にかかる荷重を胴太電線曲げガイド部３１の電線曲げ面３０で受けるため、アルミ電線２２にかかる荷重が一点に集中することのない状態で曲げ布線を行うことができる。また、本発明によれば、アルミ電線用布線治具４１には胴太電線曲げガイド部３１を有することから、アルミ電線２２の過度な曲げを抑制した状態で布線をすることができる。従って、アルミ電線２２は、この導体に例えば断線が生じることはなく、断線による強度低下も起こることはない。
【００５３】
アルミ電線用布線治具４１は、一対の胴太電線曲げガイド部３１を有することから、左右どちらの曲げ布線であっても、アルミ電線用布線治具４１の配置を変えずに容易に対応することができる。
【００５４】
続いて、図４を参照しながらアルミ電線用布線治具の第三実施例を説明する。図４はアルミ電線用布線治具の第三実施例を示す模式的な拡大斜視図である。
【００５５】
図４において、アルミ電線用布線治具５１は、電線曲げ面３０を有する胴太電線曲げガイド部３１を左右方向に並べて一対の状態で有している（図１及び図２で説明したアルミ電線用布線治具２６と同じ形状・機能を有する部分には同一の符号を付すものとする）。また、アルミ電線用布線治具５１は、一対の胴太電線曲げガイド部３１を所定の間隔で連結するＭ型連結部５２と、一端が基板２３に固定され他端がＭ型連結部５２の中央下部に連続するシャフト部２８と、Ｍ型連結部５２及びシャフト部２８の連続位置に連成されるフォーク部５３とを有して構成されている。
【００５６】
Ｍ型連結部５２は、この連結アーム５４が一対の胴太電線曲げガイド部３１の各下端部に連続するように略Ｊ字状に形成されている。連結アーム５４と胴太電線曲げガイド部３１の下端部との連続部分は、図２で説明したアルミ電線用布線治具２６の電線下方移動規制部３３と同様の機能を有している。
【００５７】
フォーク部５３は、一対の胴太電線曲げガイド部３１の上方位置に配置形成されている。フォーク部５３は、アルミ電線２２又はアルミ電線２２以外の他の電線を略直線的に布線するための部分として設けられている。フォーク部５３は、図１で説明した一般布線治具２４と同様の機能を有している。フォーク部５３は、電線載置部５５と、この電線載置部５５の両端から上方にのびる一対のガイド部５６とを有している。
【００５８】
上記構造に基づきながら、アルミ電線２２を布線する際の作業について説明する。ここでは、図４の右側へアルミ電線２２を曲げて布線する際の作業を説明する（左側への曲げの説明は省略するものとする）。
【００５９】
先ず、アルミ電線２２の一方の端末に設けたコネクタ２７（図１参照）をコネクタ保持部材２５（図１参照）に差し込んでこれを保持する。次に、アルミ電線２２をアルミ電線用布線治具５１における右側の胴太電線曲げガイド部３１と、Ｍ型連結部５２の右側の連結アーム５４との間から右に通し、アルミ電線２２を右側の胴太電線曲げガイド部３１の電線曲げ面３０に沿わせる。これにより、アルミ電線２２には電線曲げ面３０に対して円弧状に接触する曲げ部２２ｃが形成される。続いて、アルミ電線２２の略直線的に布線する部分を一般布線治具２４（図１参照）で支持する。最後に、アルミ電線２２の他方の端末に設けたコネクタ２７（図１参照）をコネクタ保持部材２５（図１参照）に差し込んで保持する。以上により、アルミ電線２２の布線に係る作業が完了する。
【００６０】
以上、図４を参照しながら説明してきたように、本発明によれば、アルミ電線用布線治具５１には胴太電線曲げガイド部３１を有することから、アルミ電線２２を曲げて布線する時にかかる荷重を胴太電線曲げガイド部３１の電線曲げ面３０で受けるため、アルミ電線２２にかかる荷重が一点に集中することのない状態で曲げ布線を行うことができる。また、本発明によれば、アルミ電線用布線治具５１には胴太電線曲げガイド部３１を有することから、アルミ電線２２の過度な曲げを抑制した状態で布線をすることができる。従って、アルミ電線２２は、この導体に例えば断線が生じることはなく、断線による強度低下も起こることはない。
【００６１】
アルミ電線用布線治具５１は、一対の胴太電線曲げガイド部３１を有することから、左右どちらの曲げ布線であっても、アルミ電線用布線治具５１の配置を変えずに容易に対応することができる。また、アルミ電線用布線治具５１は、フォーク部５３を有することから、アルミ電線２２に対する曲げ布線のみならず、略直線的な布線もすることができる。
【００６２】
続いて、図５を参照しながらアルミ電線用布線治具の第四実施例を説明する。図５はアルミ電線用布線治具の第四実施例を示す模式的な拡大斜視図である。
【００６３】
図５において、アルミ電線用布線治具６１は、アルミ電線２２を曲げて布線する際に用いる布線治具であって、シャフト部２８と（図１及び図２で説明したアルミ電線用布線治具２６と同じ形状・機能を有する部分には同一の符号を付すものとする）、このシャフト部２８の他端に設けられる布線治具本体６２とを備えて構成されている。
【００６４】
布線治具本体６２は、仮想的な側面となる電線曲げ面６３を有する胴太電線曲げガイド部６４と、この胴太電線曲げガイド部６４の上端部に設けられる弾性板部３２と、胴太電線曲げガイド部６４の下端部に設けられる電線下方移動規制部６５とを有して構成されている。布線治具本体６２は、この外観が正面視略π形状となる形状に形成されている（形状は一例であるものとする。本形態においては、後述するが略タコ足形状にも見える形状に形成されている）。
【００６５】
胴太電線曲げガイド部６４は、布線治具本体６２の胴体部分であって、この胴太電線曲げガイド部６４の軸に平行な（シャフト部２８に平行な）複数の線材６６により形成されている。胴太電線曲げガイド部６４は、複数の線材６６が従来の布線治具７のガイド部１２（図８参照）と比べて大きな径を有するように配置形成されている。電線曲げ面６３は、胴太電線曲げガイド部６４の側面であって、胴太電線曲げガイド部６４が上記のように複数の線材６６からなる形状に形成されることから、電線曲げ面６３は、仮想的な円筒側面となるように形成されている。電線曲げ面６３は、従来の布線治具７と比べて、曲げ布線されるアルミ電線２２と接触することになる部分が大きくなるように形成されている。線材６６は、摩擦抵抗の小さなものが用いられている。また、線材６６は、例えば金属製であって剛性を有するものが用いられている。
【００６６】
尚、胴太電線曲げガイド部６４は、布線治具本体６２に向かう側（アルミ電線用布線治具６１に向かう側）のアルミ電線２２ａの軸Ｌ１と、布線治具本体６２から離れていく側（アルミ電線用布線治具６１から離れていく側）のアルミ電線２２ｂの軸Ｌ２とが交差する角度θが鋭角になるようにアルミ電線２２を曲げて布線する（曲げ部２２ｃを形成する）ことができるように形成されている。すなわち、電線曲げ面６３がアルミ電線２２の曲げにおいて許容される最小曲率半径以上となる曲率半径を有するように形成されている。胴太電線曲げガイド部６４は、アルミ電線２２の過度な曲げを防止できるようになっている。
【００６７】
電線下方移動規制部６５は、胴太電線曲げガイド部６４の下端部に連成されている。具体的には、線材６６が外側に湾曲し、胴太電線曲げガイド部６４と合わせてみた場合に、略タコ足形状となる形状に形成されている。電線下方移動規制部６５は、アルミ電線２２（曲げ部２２ｃ）の下方への移動を規制することができるように形成されている。
【００６８】
上記構造に基づきながら、アルミ電線２２を布線する際の作業について説明する。ここでは、図５の右側へアルミ電線２２を曲げて布線する際の作業を説明する。
【００６９】
先ず、アルミ電線２２の一方の端末に設けたコネクタ２７（図１参照）をコネクタ保持部材２５に差し込んでこれを保持する（図１参照）。次に、アルミ電線２２をアルミ電線用布線治具６１における胴太電線曲げガイド部６４の左から右に通してアルミ電線２２を電線曲げ面６３に沿わせる。これにより、アルミ電線２２には電線曲げ面６３に対して円弧状に接触する状態の曲げ部２２ｃが形成される。続いて、アルミ電線２２の略直線的に布線する部分を一般布線治具２４（図１参照）で支持する。最後に、アルミ電線２２の他方の端末に設けたコネクタ２７（図１参照）をコネクタ保持部材２５（図１参照）に差し込んで保持する。以上により、アルミ電線２２の布線に係る作業が完了する。
【００７０】
以上、図５を参照しながら説明してきたように、本発明によれば、アルミ電線用布線治具６１には胴太電線曲げガイド部６４を有することから、アルミ電線２２を曲げて布線する時にかかる荷重を胴太電線曲げガイド部６４の電線曲げ面６３で受けるため、アルミ電線２２にかかる荷重が一点に集中することのない状態で曲げ布線を行うことができる。また、本発明によれば、アルミ電線用布線治具６１には胴太電線曲げガイド部６４を有することから、アルミ電線２２の過度な曲げを抑制した状態で布線をすることができる。従って、アルミ電線２２は、この導体に例えば断線が生じることはなく、断線による強度低下も起こることはない。
【００７１】
尚、アルミ電線用布線治具６１に関し、線材６６ではなくリブ形状のものに変更してもよいものとする。
【００７２】
図１ないし図５において、本発明によれば、アルミ電線２２の曲げ布線に好適な布線治具（アルミ電線用布線治具２６、４１、５１、６１）を有するワイヤハーネス製造治具２１を提供することができるという効果を奏する。本発明によれば、一般的な銅電線に比べて屈曲性などの機械的強度が劣るアルミ電線２２を曲げて布線する時にアルミ電線２２へかかる荷重が一点集中にならないという効果を奏する。
【００７３】
本発明は本発明の主旨を変えない範囲で種々変更実施可能なことは勿論である。
【００７４】
尚、ここで背景技術の欄で挙げた特許文献１の開示技術に生じる次のような問題点を解消することができるワイヤハーネス製造治具２１の他の特徴を幾つか列挙することにする。問題点とは、従来の布線治具を用いてアルミ電線を曲げて布線する場合に、例えば、一般的な銅電線からなる分岐線３は、図１２に示す如く棒状のガイド部１２によって角度θが鋭角となるような急激な曲げの布線を行っても問題ないが、アルミ電線を同様に布線すると、機械的強度面に支障を来してしまうことになるという問題点である。
【００７５】
（１）少なくともアルミ電線を含むワイヤハーネスを所望の経路で布線するための複数の布線治具を備えるワイヤハーネス製造治具において、
前記布線治具は、前記アルミ電線を布線するためのアルミ電線用布線治具を含み、
該アルミ電線用布線治具は、該アルミ電線用布線治具に向かう側の前記アルミ電線の軸と前記アルミ電線用布線治具から離れていく側の前記アルミ電線の軸とが交差する角度が鋭角になるように前記アルミ電線を曲げて布線するための部分として、前記アルミ電線の曲げにおいて許容される最小曲率半径以上となる曲率半径の電線曲げ面を有する胴太電線曲げガイド部を含む
ことを特徴とするワイヤハーネス製造治具。
【００７６】
（２）上記（１）に記載のワイヤハーネス製造治具において、
前記電線曲げ面は、円筒側面又は円柱側面、或いは、前記電線過屈曲防止部の軸に平行な複数の線材又は複数のリブ先端により形成される仮想的な円筒側面、のいずれかである
ことを特徴とするワイヤハーネス製造治具。
【００７７】
（３）上記（１）又は（２）に記載のワイヤハーネス製造治具において、
前記アルミ電線用布線治具は、前記アルミ電線の挿抜側となる前記胴太電線曲げガイド部の上端部に、該上端部よりも大径の弾性板部を有する
ことを特徴とするワイヤハーネス製造治具。
【００７８】
（４）上記（１）又は（２）に記載のワイヤハーネス製造治具において、
前記アルミ電線用布線治具は、前記アルミ電線の挿抜側とは反対側となる前記胴太電線曲げガイド部の下端部に、前記アルミ電線の下方への移動を規制する電線下方移動規制部を有する
ことを特徴とするワイヤハーネス製造治具。
【００７９】
（５）上記（１）又は（２）に記載のワイヤハーネス製造治具において、
前記アルミ電線用布線治具は、前記胴太電線曲げガイド部を左右方向に並べて一対の状態で有する
ことを特徴とするワイヤハーネス製造治具。
【００８０】
（６）上記（１）ないし（５）いずれか記載のワイヤハーネス製造治具において、
前記アルミ電線用布線治具は、前記胴太電線曲げガイド部の上方となる位置又は下方となる位置に、前記アルミ電線又は該アルミ電線以外の前記ワイヤハーネスを構成する他の電線を略直線的に布線するための部分として、電線載置部と該電線載置部の両端から上方にのびる一対のガイド部とを有するフォーク部を更に含む
ことを特徴とするワイヤハーネス製造治具。
【００８１】
上記（１）から（６）の特徴によれば、アルミ電線を曲げて布線する必要がある場合、アルミ電線用布線治具を用いて曲げを行う。アルミ電線用布線治具を用いることにより、布線治具本体の各布線ガイドあるいは環状の弾性部材に沿って布線を行うだけで、アルミ電線の曲げにおいて許容される最小曲率半径を下回るような曲げの発生が避けられる。従って、一般的な銅電線に比べて屈曲性などの機械的強度が劣るアルミ電線の過度な曲げを抑制することができるという効果を奏する。
【図面の簡単な説明】
【００８２】
【図１】本発明のワイヤハーネス製造治具の一実施の形態を示す模式的な主要構成図である。
【図２】図１のアルミ電線用布線治具の拡大斜視図である。
【図３】アルミ電線用布線治具の第二実施例を示す模式的な拡大斜視図である。
【図４】アルミ電線用布線治具の第三実施例を示す模式的な拡大斜視図である。
【図５】アルミ電線用布線治具の第四実施例を示す模式的な拡大斜視図である。
【図６】従来例のワイヤハーネスを示す平面図である。
【図７】従来例のワイヤハーネス製造治具を示す平面図である。
【図８】従来例の布線治具を示す斜視図である。
【符号の説明】
【００８３】
２１  ワイヤハーネス製造治具
２２  アルミ電線
２３  基板
２４  一般布線治具
２５  コネクタ保持部材
２６  アルミ電線用布線治具
２７  コネクタ
２８  シャフト部
２９  布線治具本体
３０  電線曲げ面
３１  胴太電線曲げガイド部
３２  弾性板部
３３  電線下方移動規制部
４１  アルミ電線用布線治具
５１  アルミ電線用布線治具
５２  Ｍ型連結部
５３  フォーク部
５４  連結アーム
５５  電線載置部
５６  ガイド部
６１  アルミ電線用布線治具
６２  布線治具本体
６３  電線曲げ面
６４  胴太電線曲げガイド部
６５  電線下方移動規制部
６６  線材
【図１】
2010010063.tif 000003
【図２】
2010010063.tif 000004
【図３】
2010010063.tif 000005
【図４】
2010010063.tif 000006
【図５】
2010010063.tif 000007
【図６】
2010010063.tif 000008
【図７】
2010010063.tif 000009
【図８】
2010010063.tif 000010